(57)【要約】  【課題】  本発明の目的は、犬の顔や耳に温風を吹きかけない構成とすることにより、犬が目の病気や鼻や肺の病気に罹患する危険性をなくした犬の乾燥機１であって、犬が床面１０ｆに座ったり伏せたりした場合にも効率的に完全に犬を乾かすことを可能とした犬の乾燥機１を提供することにより、犬を洗う人間の手間と作業時間の軽減をはかることにある。  【解決手段】  複数の吹出口１２ａ、１２ｂを有する犬室１０と、犬室１０を囲う空気室１３と、犬室１０に犬を出入りさせる扉１１であって犬が顔を外に出すための首穴１１ｆを有する扉１１と、犬に吹付ける空気を温風にするヒータ１７と、外気を吹出口１２ａ、１２ｂに送風する送風機１６及び犬室１０内の空気を排気する排気ダクト１４であってファン１４ａを有する排気ダクト１４などからなる犬の乾燥器１とする。【選択図】              図１
2005304482.tif 000002
【特許請求の範囲】
【請求項１】
犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有することを特徴とする犬の乾燥機。
【請求項２】
請求項１に記載した犬の乾燥機において、犬室に犬を出入りさせるための扉を設け、前記扉に首穴を設けたことを特徴とする犬の乾燥機。
【発明の詳細な説明】
【技術分野】
【０００１】
本発明は、犬を洗った後に濡れた犬を乾かすための犬の乾燥機に関する。
【背景技術】
【０００２】
従来、犬を洗う場合、犬に水をかけて濡らした後に洗剤をかけ、人が手やブラシなどを使って毛を掻いたり梳いたりしながら洗い、その後にシャワーをかけて洗剤を流し、さらにドライヤーなどを使用して濡れた犬を乾かしていた。
かかる作業は、犬が大型の場合ほど、犬を洗う人間に重労働を課すもので、特に濡れた毛を乾かす手間と時間が過大であった。
また、洗浄室内に格納した犬に洗剤を吹き付けた後に、シャワーで水をかけて洗剤を流し、その後、温風により濡れた犬を乾燥させる犬用の洗浄・乾燥機があった。
しかしかかる犬用の洗浄・乾燥機は、犬の毛を掻いたり梳いたりしする作用がないため洗剤は毛の奥で泡立つことはなく、洗いが不十分となる問題を有していた。さらに、毛の間にしみ込んだ洗剤はシャワーで水をかけただけでは容易に流れないので、洗剤が毛の間に残る問題を有していた。
また、犬は顔や耳に温風を受けることを避け部屋の隅に逃げ込んでしまうため、温風により犬を乾かす効率が悪くエネルギーの消費が過大になる問題と、完全に犬を乾燥させることができない問題を有していた。
また、犬は瞬きをしないため、犬の顔に温風を吹き付けると目が乾燥してしまい、犬が目の病気を罹患し易すくなる問題があった。さらに、犬の鼻が乾燥すると鼻の中の粘膜や肺を乾燥させてしまい、犬が鼻や肺の病気を罹患し易すくなる問題も有していた。
【発明の開示】
【発明が解決しようとする課題】
【０００３】
本発明は、上記した従来技術の有する欠点を除くためになされたもので、その目的とするところは、効率的に犬を乾かすことを可能とした犬の乾燥機を提供することにより、犬を洗う人間の手間と作業時間の軽減をはかることにある。
また他の目的は、犬が部屋の隅に逃げ込んでしまうことを防止した犬の乾燥機であって、さらに、犬が床に座り込んだり床に伏せたりたりした場合にも、効率よく温風を犬に吹き付け、完全に犬を乾燥させることを可能とした犬の乾燥機を提供することにある。
また他の目的は、犬の顔や耳に温風のかかることを防止した犬の乾燥機とすることにより、犬が目の病気や鼻や肺の病気に罹患する危険性をなくした、犬の乾燥機を提供することにある。
【課題を解決するための手段】
【０００４】
本発明は、犬が顔を外に出した状態で犬の首、胴体、足及び尾に温風を吹き付けることを可能とした犬の乾燥機とすることにより、犬の顔や耳に温風をかけず、かつ、温風の吹き付けを最も効率的に受ける位置に、犬を静止させることを可能とした犬の乾燥機とする。
【発明の効果】
【０００５】
本発明は上記のように、温風の吹き付けを最も効率的に受ける位置に犬を静止させることを可能とした犬の乾燥機としたので、犬の乾燥のための熱エネルギーの消費を軽減し、乾燥時間を短縮し、さらに完全に犬を乾燥させることを可能とした犬の乾燥機を提供することができた。
また、犬の顔に温風を吹き付けることのない構成としたので、犬の目や鼻が乾燥することはなく、犬が目や鼻や肺の病気を罹患する問題もなくなった。
【発明を実施するための最良の形態】
【０００６】
請求項１の発明は、犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機とする。
犬室には犬を出し入れする扉を設け、吹出口等は犬が首穴から外に顔を出した状態において、犬の首、胴、足及び尾の全体に対して温風を吹き付けるよう、また上方、側方、下方の全方向から温風を吹き付けるよう配置することが好ましい。
また、犬との距離が近い場合は単に吹出口を設ける構成が好ましく、犬との距離が遠い場合はノズルを設けて温風を噴出させ、遠くまで温風を送風させる構成が好ましい。
吹出口等に温風を送風する構成としては、送風機で大気を吸引し吸引した空気をヒータを通過させ加熱して吹出口等に送る構成と、予めヒータで温風にした空気を送風機で吸引して吹出口等に送る構成と、さらには予めヒータで温風にした空気をさらに他のヒータを通過させて吹出口等に送る構成とが考えられる。
ヒータとしては、電熱式のヒータ、ガスや固形燃料を燃焼させる燃焼ヒータ、温水ヒータ、ボイラーや炉などの廃熱を利用したヒータ、太陽熱を利用したヒータなど考えられ、とくにその構成についてこだわるものではない。
【０００７】
請求項２の発明は、請求項１に記載した犬の乾燥機において、犬室に犬を出入りさせるための扉を設け、前記扉に首穴を設けた犬の乾燥機とする。
特に、扉に首穴を設けることにより犬室の構成を単純なものとするとともに、扉の外に立つ飼い主に触れ合おうとする犬の習性を利用して、犬が自然に首穴から顔を出すようにし向けたものである。
請求項１又は請求項２の犬の乾燥機においては、首穴の位置を上下方向に移動可能に設けた犬の乾燥機とすることが好ましい。
例えば、犬室又は扉に長大な穴を明けておき、首穴を明けた首穴板を犬室又は扉に対してスライド可能に取り付ける構成としたり、首穴を明けた首穴板をスライド可能に蛇腹材を介して保持する構成などとすることが好ましい。
この場合、首穴板や蛇腹材を単にスライド可能にガイドして適宜固定具を取り付ける方法と、位置決め機構を有するスライドレールを介して首穴板を取り付ける方法など考えられ、具体的な方法についてこだわるものではない。
【実施例１】
【０００８】
以下本発明の実施例１を図１〜図３に示し説明する。実施例１にかかる犬の乾燥機１は、複数の吹出口１２ａ、１２ｂを有する犬室１０と、首穴１１ｆを有する扉１１と、空気室１３と、送風機１６及びヒータ１７を有している。
犬室１０は、天井面１０ａ、床面１０ｆ及びそれぞれ２枚の上部傾斜面１０ｂ、側面１０ｃ、下部傾斜面１０ｇとからなる概略８角形の断面形状を有するものとした。そして、断面の一端を後面１０ｅとし他端を前面開口１０ｄとした。
そして、上部傾斜面１０ｂ、側面１０ｃ、下部傾斜面１０ｇ、床面１０ｆ及び裏面１０ｅのそれぞれに複数の吹出口１２ａ、１２ｂを設け、できる限り犬の体全体に温風を吹き付けるように配置した。このとき、前面開口１０ｄの内側近傍であって、前面開口１０ｄと平行な面内に複数の長細い吹出口１２ａを取り付けた。
また、上部傾斜面１０ｂ、側面１０ｃ、下部傾斜面１０ｇ、床面１０ｆ及び裏面１０ｅの外側を囲う空気室１３を設け、後面１０ｅの外側に設けたヒータ室１８と導通させた。そして、ヒータ室１８には電熱式のヒータ１７を取り付け、ヒータ室１８を拡大ダクト１６ｃを介して送風機１６の吹気口１６ｂに連結した。
また、空気室１３の前面１３ａに扉１１を設け、ヒンジ１１ｂと締め具１１ｃを使用して空気室の前面１３ａに対して扉１１を開閉可能に取り付けた。扉１１には穴が明けてあり、位置決め機構を有する２本のスライドレール１１ｄを介して、首穴１１ｆを有する首穴板１１ｅを取り付け、首穴１１ｆの部分を除いて扉１１の穴を塞いだ。
また、犬室１０の天井面１０ａに開口１０ｈ設け、天井面１０ａの上に排気ダクト１４を取り付け、排気ダクト１４の排気口１４ｂ付近にはファン１４ａを取り付けた。さらに、犬室１０の天井面１０ａ付近に紫外線を発生する殺菌灯１５を取り付けた。
【０００９】
実施例１は上記のように構成したが、以下その作用について説明する。犬の飼い主やトリマーなど犬の乾燥機１の使用者は、扉１１を開いて犬室１０の中に犬を入れ、首穴１１ｆの高さを犬に合わせて首穴板１１ｅを位置決めして、扉１１を閉じた後に犬に声掛けをすると犬は首穴１１ｆから顔を出す。
犬が首穴１１ｆから顔を出した状態で、送風機１６とファン１４ａを稼働させ、ヒータ１７を加熱させ、殺菌灯１５を点灯すると、送風機１６の吸気口１６ａから吸い込まれた空気は、吹気口１６ｂと拡大ダクト１６ｃを通ってヒータ室１８に入り、ヒータ１７によって加熱され温風となって空気室１３に流れ、吹出口１２ａ、１２ｂから犬に向かって吹き出す。  
前面開口１０ｄ内側近傍には複数の細長い吹出口１２ａを取り付けてあるので、犬室１０に格納した犬の首に向かって温風を集中して吹き付け、犬の首を乾燥させるだけでなく、首穴１１ｆの内側にエアーカーテンを構成して、外気や内気が首穴１１ｆを通って流入出することを可能な限り防ぐことができる。
犬を乾燥させた後の空気は、天井面１０ａの開口１０ｈを通過して排気ダクト１４に入り、ファン１４ａに吸引されて排気口１４ｂから排出する。ファン１４ａを取り付けたことにより、犬室１０内の空気の圧力を大気圧に近い圧力に維持することが可能となり、首穴１１ｆを通って外気や内気が流入出することを、可能な限り防止することができる。
犬を乾燥させている間に殺菌灯１５から発生した紫外線が、犬に付着したばい菌や虫などを死滅させ、さらに、犬室１０を消臭する効果も得ることができる。
【００１０】
以下本発明の利用例を図４に示し説明する。図４に示した犬の複合施設７は、犬の洗台８ａとシャワー８ｂとで犬の洗場８を構成し、さらに犬の洗場８と犬の乾燥機１とで犬の洗浄設備２を構成した。
そして、４式の犬の洗浄設備２を有する犬の洗浄施設３と、犬の洗浄施設３の上に設けた犬の運動施設４と、犬の洗浄施設３の隣に設けたトリミング施設６と、トリミング施設６の上に設けた犬の宿泊施設５とからなる犬の複合施設７とした。
そして、犬の洗浄設備２を使って洗浄した犬のみを受け入れ、犬の運動施設４で犬を遊ばせたり運動させるようにし、また、犬の宿泊施設５やトリミング施設６を利用させる。
このようにすることにより、犬の運動施設４や犬の宿泊施設５やトリミング施設６の汚れを防止すると共に、犬同士の触れあいにより病気や、ばい菌や、虫などが移ることを防止することが可能となった。
以上のように、犬と愛犬家が多目的に利用する犬の複合施設７であって、常に犬の洗浄設備２で洗浄した清潔な犬だけを受け入れる施設として、飼い主が安心して利用することができる犬の複合施設７を提供することが可能となった。
【産業上の利用可能性】
【００１１】
本発明は、犬の乾燥機を製造販売する産業に利用されるが、他にも犬の洗浄施設や犬の運動場や犬の宿泊施設及びトリミング施設を建設する産業に利用され、さらに犬の洗浄施設の提供や犬の運動施設の提供や犬の宿泊施設の提供及びトリミングなどのサービスを提供する用途に適用できる。
【図面の簡単な説明】
【００１２】
【図１】前方から見た犬の乾燥機の１部を破断した斜視図である。
【図２】右側面から見た犬の乾燥機の後部の１部を破断した部分側面図である。
【図３】前方から見た犬室の１部を破断した斜視図である。
【図４】犬の複合施設の斜視図である。
【符号の説明】
【００１３】
１  ：犬の乾燥機            ２  ：犬の洗浄設備          ３  ：犬の洗浄施設
４  ：犬の運動施設          ５  ：犬の宿泊施設          ６  ：トリミング施設
７  ：犬の複合施設          ８  ：犬の洗場              ８ａ：犬の洗台
８ｂ：シャワー            １０  ：犬室                １０ａ：天井面
１０ｂ：上部傾斜面          １０ｃ：側面                １０ｄ：前面開口
１０ｅ：後面                １０ｆ：床面                １０ｇ：下部傾斜面
１０ｈ：開口                １１  ：扉                  １１ｂ：ヒンジ
１１ｃ：締め具              １１ｄ：スライドレール      １１ｅ：首穴板
１１ｆ：首穴                １２ａ：吹出口              １２ｂ：吹出口
１３  ：空気室              １３ａ：空気室の前面        １４  ：排気ダクト
１４ａ：ファン              １４ｂ：排気口              １５  ：殺菌灯
１６  ：送風機              １６ａ：吸気口              １６ｂ：吹気口
１６ｃ：拡大ダクト          １７  ：ヒータ              １８  ：ヒータ室
【図１】
2005304482.tif 000003
【図２】
2005304482.tif 000004
【図３】
2005304482.tif 000005
【図４】
2005304482.tif 000006
【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機において、
前記犬室に長大な穴を明け、また、前記首穴を有する首穴板をスライド可能に取り付け、前記首穴の位置を上下方向に移動可能に設けたことを特徴とする犬の乾燥機。
【請求項２】
犬を格納可能な犬室と、犬が外に顔を出すことを可能とした首穴と、前記犬室に格納した犬に向けて配置した複数の吹出口等と、前記複数の吹出口等に空気を送風する送風機と、前記送風機で送風する空気を温風に加熱するヒータとを有する犬の乾燥機において、
前記犬室に長大な穴を明け、また、欠けることのない独立した穴である前記首穴を有する首穴板をスライド可能に取り付け、前記首穴の位置を上下方向に移動可能に設けたことを特徴とする犬の乾燥機。
【請求項３】
犬を格納可能な犬室と、犬が外に顔を出すことを可能とした首穴と、前記犬室に格納した犬に向けて配置した複数の吹出口等と、前記複数の吹出口等に空気を送風する送風機と、前記送風機で送風する空気を温風に加熱するヒータとを有する犬の乾燥機において、
前記犬室に長大な穴を明け、また、欠けることのない独立した概略円形の穴である前記首穴をその中央部に有する首穴板をスライド可能に取り付け、前記首穴の位置を上下方向に移動可能に設けたことを特徴とする犬の乾燥機。
【請求項４】
犬を格納可能な犬室と、犬が外に顔を出すことを可能とした首穴と、前記犬室に格納した犬に向けて配置した複数の吹出口等と、前記複数の吹出口等に空気を送風する送風機と、前記送風機で送風する空気を温風に加熱するヒータとを有する犬の乾燥機において、
前記犬室に長大な穴を明け、また、前記首穴を有する首穴板をスライド可能に取り付け、前記首穴を除いて前記長大な穴を塞ぐ構成とすることにより、前記首穴の位置を上下方向に移動可能に設けたことを特徴とする犬の乾燥機。
【請求項５】
犬を格納可能な犬室と、犬が外に顔を出すことを可能とした首穴と、前記犬室に格納した犬に向けて配置した複数の吹出口等と、前記複数の吹出口等に空気を送風する送風機と、前記送風機で送風する空気を温風に加熱するヒータとを有する犬の乾燥機において、
前記犬室に長大な穴を明け、また、欠けることのない独立した穴である前記首穴を有する首穴板をスライド可能に取り付け、前記首穴を除いて前記長大な穴を塞ぐ構成とすることにより、前記首穴の位置を上下方向に移動可能に設けたことを特徴とする犬の乾燥機。
【請求項６】
犬を格納可能な犬室と、犬が外に顔を出すことを可能とした首穴と、前記犬室に格納した犬に向けて配置した複数の吹出口等と、前記複数の吹出口等に空気を送風する送風機と、前記送風機で送風する空気を温風に加熱するヒータとを有する犬の乾燥機において、
前記犬室に長大な穴を明け、また、欠けることのない独立した概略円形の穴である前記首穴をその中央部に有する首穴板をスライド可能に取り付け、前記首穴を除いて前記長大な穴を塞ぐ構成とすることにより、前記首穴の位置を上下方向に移動可能に設けたことを特徴とする犬の乾燥機。
【請求項７】
請求項１〜請求項６のいずれかに記載した犬の乾燥機において、犬室に犬を出入りさせるための扉を設け、前記扉に長大な穴及び首穴を有する首穴板を設けたことを特徴とする犬の乾燥機。
【手続補正２】
【補正対象書類名】明細書
【補正対象項目名】０００６
【補正方法】変更
【補正の内容】
【０００６】
請求項１〜請求項６の発明は、犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機とする。
犬室には犬を出し入れする扉を設け、吹出口等は犬が首穴から外に顔を出した状態において、犬の首、胴、足及び尾の全体に対して温風を吹き付けるよう、また上方、側方、下方の全方向から温風を吹き付けるよう配置することが好ましい。
また、犬との距離が近い場合は単に吹出口を設ける構成が好ましく、犬との距離が遠い場合はノズルを設けて温風を噴出させ、遠くまで温風を送風させる構成が好ましい。
吹出口等に温風を送風する構成としては、送風機で大気を吸引し吸引した空気をヒータを通過させ加熱して吹出口等に送る構成と、予めヒータで温風にした空気を送風機で吸引して吹出口等に送る構成と、さらには予めヒータで温風にした空気をさらに他のヒータを通過させて吹出口等に送る構成とが考えられる。
ヒータとしては、電熱式のヒータ、ガスや固形燃料を燃焼させる燃焼ヒータ、温水ヒータ、ボイラーや炉などの廃熱を利用したヒータ、太陽熱を利用したヒータなど考えられ、とくにその構成についてこだわるものではない。
また、首穴の位置を上下方向に移動可能に設けた犬の乾燥機とすることが好ましい。例えば、犬室又は扉に長大な穴を明けておき、首穴を明けた首穴板を犬室又は扉に対してスライド可能に取り付ける構成としたり、首穴を明けた首穴板をスライド可能に蛇腹材を介して保持する構成などとすることが好ましい。
この場合、首穴板や蛇腹材を単にスライド可能にガイドして適宜固定具を取り付ける方法と、位置決め機構を有するスライドレールを介して首穴板を取り付ける方法など考えられ、具体的な方法についてこだわるものではない。
【手続補正３】
【補正対象書類名】明細書
【補正対象項目名】０００７
【補正方法】変更
【補正の内容】
【０００７】
請求項７の発明は、請求項１に記載した犬の乾燥機において、犬室に犬を出入りさせるための扉を設け、前記扉に首穴を設けた犬の乾燥機とする。
特に、扉に首穴を設けることにより犬室の構成を単純なものとするとともに、扉の外に立つ飼い主に触れ合おうとする犬の習性を利用して、犬が自然に首穴から顔を出すようにし向けたものである。